(57)【特許請求の範囲】
【請求項１】
ベランダ、バルコニー、パラペット、廊下、階段等の立上がり壁を構成する複数のＡＬＣパネルの上方小口面に手摺りが設けられている手摺付きＡＬＣ壁構造において、
前記ＡＬＣパネルは、その横幅方向の略中央部でかつ高さ方向の下部がパネル取付金具を介して建物の下階の躯体に取付けられているとともに、その横幅方向の略中央部でかつ高さ方向の中間部がパネル取付金具を介して建物の上階の躯体に取付けられていることにより、支持されているとともに、
前記ＡＬＣパネルの側方小口面同士が摺動可能に直接当接されており、
また前記ＡＬＣパネルの上方小口面のパネル横幅方向の中央部またはその付近のみにアンカー部材が植設されているとともに該アンカー部材の上部に手摺取付用部材が固定されていることを特徴とする手摺付きＡＬＣ壁構造。
【請求項２】
前記アンカー部材は、その周囲に接着部材が充填されて植設固定されている請求項１記載の手摺付きＡＬＣ壁構造。
【請求項３】
前記接着部材は、セメント系接合材である請求項２記載の手摺付きＡＬＣ壁構造。
【請求項４】
前記手摺取付用部材は、前記ＡＬＣパネルの上方小口面上に敷設固定されている鋼板である請求項１〜３のいづれか１項に記載の手摺付きＡＬＣ壁構造。
【請求項５】
前記鋼板は、アンカー部材の上部がその鋼板を突き抜けているとともにその上部に螺刻された雄ネジにナットが螺合して締結されることにより、敷設固定されている請求項４記載の手摺付きＡＬＣ壁構造。
【発明の詳細な説明】
【０００１】
【発明の属する技術分野】
本発明は、ＡＬＣパネル（以下、パネルという。）の上方小口面に手摺部材が固定される手摺付きＡＬＣ壁構造に関するものである。
【０００２】
【従来の技術】
ベランダ、バルコニー、パラペット等の立上がり壁に用いられるパネルにおいて、出願人は、近年図６および図７に示す立上がり壁の構造、すなわちパネル１の中間部１ａと下部１ｂとをパネル取付金具６と定規アングル３あるいは受けアングル１７とを用いて、梁などの躯体４に固定される取付構造を提案した（特開平９−２０３１５１号公報）。
【０００３】
このような立上がり壁パネルの構造においては、手摺部１５の取付けに利用されていたパネル１上部の補強用アングル（図示せず。）を省略できるため、外観、コスト面で優れており、しかも十分な取付強度も得られるという特長がある。しかし、補強用アングルが省かれるため、手摺部1５を取り付ける際は、手摺支柱部材１３の取付用に補強用アングルに代わる鋼板等の手摺取付用部材９がパネル上方小口面１ｄに新たに敷設固定される必要が有る。
【０００４】
その手摺取付用部材９の従来の固定手段は、パネル１の側方小口面１ｃの目地部８に植設固定されたアンカー部材１０を介してパネル１の上方小口面１ｄに固定されていた。そしてそのアンカー部材１０は、図６に示すように、その下部１０ｂが目地部８に充填されたモルタル等の接着部材１１に植設固定され、その上部１０ａは雄ねじが螺刻されており、手摺取付用部材９を貫通してワッシャーを介在してナット１２が螺合されることにより、上方小口面１ｄに手摺取付用部材９が固定されていた。そして手摺部１５は、手摺支柱部材１３、笠置１４等を介してパネル１に取付けられていた。
【０００５】
また、以上のような取付構造は、図７の分解図に示すように、パネル１の中間部１ａと下部１ｂとの間隔がかなり離れて取り付けられている場合、たとえば上階の梁などの躯体４とコンクリート基礎１６上の受けアングル１７とに固定されて、パネル１上部が建物の上階のベランダやパラペットを構成している場合にも採用される。そして、このような構造においても、パネル１への手摺部１５の取付け構造は同様であった。
【０００６】
【発明が解決しようとする課題】
しかし、以上のような取付構造においては、アンカー部材１０がパネル目地部８に植設されていることによって、手摺支柱部材１３に加わったパネル面外方向の荷重がアンカー部材１０にかかるようになるが、その際、図８に示すように、目地部８付近に割れ２０が発生しやすいという問題点があった。すなわち、目地部８でパネル１が分離しているため、その部分の強度が低下し破損しやすくなるのである。
【０００７】
さらに、特に図７に示すような、パネル１の中間部１ａと下部１ｂとが上階の梁などの躯体４とコンクリート基礎１６上の受けアングル１７とに固定されている場合は、地震等で生じる建物躯体の層間変形が大きく、そして図９の矢印で示すように、パネル取付用アンカー２位置を固定点としてパネル１を摺動させる外力として働く。この時、パネル１の目地部８は、摺動による上下の相対変位ΔＨが最も大きくなる。
【０００８】
このため、図９に示すように、手摺取付用部材９に緊結されたアンカー部材１０に大きな引き抜き力が働き、目地部８の接着部材１１が抜け出たり、目地部８付近のパネル１に割れ２０が発生したりしていた。この結果、アンカー部材１０が緩んだり抜けたりして、手摺部１５の十分な取付強度を得ることができず、手摺
部１５のガタツキやパネル１から手摺部１５が脱落する危険性等があった。特にＡＬＣパネル１はコンクリート等の他の素材と違って脆弱であるという特質が有るため、以上のような問題点は、 ＡＬＣパネル１特有の問題点であった。
【０００９】
さらに、最近では地震対策として、パネル１の目地部８にパネル1の摺動を阻害するモルタル等の接着部材１１を充填せずに、個々のパネル１を建物の層間変形に積極的に追従させて摺動させる、いわゆる乾式ロッキング構法が多く採用されるようになっており、ＡＬＣパネルのベランダ壁等においても乾式ロッキング構法の採用が望まれている。しかし、この場合、目地部８にモルタル等の接着部材１１が充填されていないとともに、パネル１の目地部８が凹凸の係合形状の実目地等を形成していることが多いため、目地部８にアンカー部材１０を植設しにくく、特に前述のパネル１上部の補強用アングルを省略可能な取付構造、すなわちパネル１の中間部１ａと下部１ｂとをパネル取付金具６と定規アングル３あるいは受けアングル１７とを用いて、躯体４に固定される取付構造においては、その問題点があった。
【００１０】
そこで、本発明の目的は、ベランダ、バルコニー、パラペット等の立上がり壁に手摺りが設けられている手摺付きＡＬＣ壁構造において、
パネル上部及び側面の補強用アングルを省略でき、外観、取付強度、コスト面等が優れているとともにパネルの層間変形の追従性にも優れており、しかも手摺部やその部材に荷重がかかったり、また隣接するパネルが相互に摺動したりしても、手摺取付用部材のパネル取付面（小口面）が破損し難く、手摺部が強固に取り付けられる手摺付きＡＬＣ壁構造を提供することにある。
【００１１】
【課題を解決するための手段】
本発明は、前記課題を解決するためにベランダ、バルコニー、パラペット、廊下、階段等の立上がり壁を構成する複数のＡＬＣパネルの上方小口面に手摺りが設けられている手摺付きＡＬＣ壁構造において、前記ＡＬＣパネルは、その横幅方向の略中央部でかつ高さ方向の下部がパネル取付金具を介して建物の下階の躯体に取付けられているとともに、その横幅方向の略中央部でかつ高さ方向の中間部がパネル取付金具を介して建物の上階の躯体に取付けられていることにより、支持されているとともに、前記ＡＬＣパネルの側方小口面同士が摺動可能に直接当接されており、また前記ＡＬＣパネルの上方小口面のパネル横幅方向の中央部またはその付近のみにアンカー部材が植設されているとともに該アンカー部材の上部に手摺取付用部材が固定されている手摺付きＡＬＣ壁構造。
【００１２】
本発明において、 ＡＬＣパネルの側方小口面同士が摺動可能に直接当接されているとは、目地部に接着部材等が充填されていない状態を意味し、また上方小口面のパネル横幅方向の中央部またはその付近とは、少なくともパネル内の補強鉄筋の埋設位置以内であり、好ましくはパネルの両端から１／３以上内側にある位置範囲である。
【００１３】
以下に本発明の作用を説明する。
先ず、パネルはその横幅方向の略中央部でかつ高さ方向の下部と中間部とがパネル取付金具を介して躯体に取付けられて支持されているため、パネル上部の補強用アングルを省略でき、外観、取付強度、コスト面等が優れたものになる。また、パネルの側方小口面同士にモルタル等が充填されず摺動可能に直接当接されていることにより、建物の層間変形の追従性にも優れている。しかも、パネルの上方小口面の横幅方向の略中央部に手摺取付用部材が緊結されるアンカー部材が植設されているため、目地部の位置と違って、脆弱なＡＬＣパネルであっても、手摺りからアンカー部材にパネル面外方向の力が作用してもアンカー部材の植設部分が破損されにくくなる。
また、パネルの略中央部またはその付近の内部には、端部と異なり補強鉄筋が埋設されているためパネルの破壊が発生し難いとともに、アンカー部材の十分な取付強度が得られる。
【００１４】
さらに、パネルが互いに摺動した際の上下方向の相対変位ΔＨは、パネルの上方小口面の横幅方向の中央部が最も小さいため、アンカー部材が横幅方向の中央部またはその付近に植設されていると、パネルが摺動しても手摺取付用部材によるアンカー部材の引き抜き力は最も小さくなる。また、前述のごとくアンカー部材の取付強度も十分にあるため、パネルが摺動した際に、図４に示すように、上下の相対変位ΔＨが最も大きい目地部の手摺取付用部材が先に曲がることにより、アンカー部材のパネル植設部分は破損しにくくなる。
【００１５】
【発明の実施の形態】
以下、本発明の実施形態を図１〜図５に基づいて説明する。なお、符号は従来例と同一のものは同一符号を付した。
図１は、ベランダ用のパネル１が高さ方向の中間部１ａと下部１ｂとによって支持されて、そのパネル１の上方に手摺部１５が取付けられている立上がり壁の第１実施形態の斜視図であり、図２はその分解図である。
【００１６】
パネル１には、高さ方向の中間部１ａと下部１ｂとの縦方向の２カ所でかつパネル１の横幅方向の中央部にパネル取付用アンカー２が埋設されている。そのパネル中間部１ａのパネル取付用アンカー２の位置には、定規アングル３がその起立板３ａの背面がパネル１の室内側面に当接するように梁４に溶接固定されている。
また、パネル１の下方小口面１ｅにはそれを支持するように受けアングル１７が設けられており、その起立板１７ａの内側面がパネル１の室内側面と当接するように設置されてパネル１の下方小口面１ｅが受け止められている。
【００１７】
さらに、梁４の下方へ延びる縦下地鋼材５の上端部が、アングルピース（図示せず。）を介して梁４の下部に溶接固定されているとともに、下端部がパネル１の下方小口面１eを支持している受けアングル１７の起立板１７aに溶接固定されている。
そして、パネル１は前述の２カ所のパネル取付用アンカー２位置において、パネル取付金具６とボルト等の係止部材７とを介して、定規アングル３あるいは受けアングル１７に固定されてベランダ壁として取付けられている。なお、パネル１の目地部８は側方小口面１ｃに設けられた凹凸が係合する実目地を形成しており、パネル１はモルタル等を使用しないで側方小口面１ｃ同士が摺動可能に直接当接されている。
【００１８】
パネル１の上方小口面１ｄの横幅方向の中央部１ｆには、手摺取付用部材９を緊結するためのアンカー部材１０が植設されている。このアンカー部材１０の上部１０ａは、雄ネジが螺刻されてその部分がパネル１の上方小口面１ｄより突出されており、残り部分がパネル１内に穿設された孔にモルタル等の接着部材２が充填されて植設固定されている。そして手摺取付用部材９として、アンカー部材１０の上部１０ａが貫通する孔が設けられた所定厚さの鋼板が用いられており、その孔を貫通させたアンカー部材１０の上部１０ａにワッシャーを介してナット１２が螺合されて、上方小口面１ｄに敷設固定されている。
【００１９】
鋼板などの手摺取付用部材９を緊結させる際は、上述の実施形態のように、アンカー部材１０の上部１０ａに設けられた雄ネジにナット１２を螺合させて敷設固定すると、簡単な構造でしかも固定作業も簡単で十分な緊結強度をもって緊結される。なお、このほかにアンカー部材１０の上部１０ａにプレート部（図示せず）を設けて、手摺取付用部材９をそのプレート部に溶接固定しても十分な緊結強度が得られる。
【００２０】
アンカー部材１０については、特に限定されないが、図５（ａ）に示すように、パネル１とアンカー部材１０との間に接着部材１１が充填される接着系アンカー方式、あるいは図５（ｂ）に示すように、アンカー部材１０自身の下部１０ｂがパネル１内部で拡張する拡張アンカー方式、等が採用され得る。接着系アンカー方式は、アンカー部材１０の取付強度を大きくすることができ、その接着部材１１としては有機系（例えば、ポリエステル系、エポキシアクリレート、エポキシ系等）と無機系があるが、無機系の樹脂モルタル、ポリマーセメントモルタル、セメントペースト、グラウト材等のセメント系接合材を用いると、ＡＬＣと強く結合して、さらにアンカー部材１０の取付強度が大きくなるため好適である。また、拡張アンカーは接着部材を必要としないため、硬化のための養生が不要となり施工効率が良いという長所がある。
【００２１】
手摺取付用部材９の上面には手摺支柱部材１３が所定間隔で溶接固定されており、手摺取付用部材９上に手摺支柱部材１３の支柱部分を貫通させた笠置１４が載置されている。また、手摺支柱部材１３の上端部にスペーサー（図示せず。）が係止部材により固定されているとともに、手摺部１５がスペーサーに固定されている。なお、手摺支柱部材１３は手摺取付用部材９の上面に係止部材（ビスなど）を用いて固定されていても良い。
【００２２】
図３は、ベランダ用のパネル１が高さ方向の中間部１ａが上階の梁４に、そして下部１ｂが下階のコンクリート基礎１６に固定されている第２実施形態を示す斜視図である。
この手摺付きＡＬＣ壁構造は、第１実施形態の縦下地鋼材５が無くなり、かつパネル１の下方小口面１ｅを支える受けアングル１７が定規アングル３としてコンクリート基礎１６上に固定されている点が異なるのみで、その他のアンカー部材１０、手摺取付用部材９、笠置１４、手摺部１５の取付け、およびパネル１間の実目地による係合等は前述の第１実施態様と同様である。なお、図３ではパネル１の下部１ｂは下階のコンクリート基礎１６上の定規アングル３に固定されているが、下階の梁などの躯体に固定されていても良い。
【００２３】
図４は本発明において、地震等によってパネル１が摺動した際の状態を示す説明図であり、
上下の相対変位ΔＨが最も大きい目地部８の手摺取付用部材９が先に変形し、アンカー部材１０のパネル植設部分が破損することがないことを示している。
なお、本発明においては、手摺取付用部材９は特に限定されないが、地震等の力によってパネル１の摺動に応じて曲がる程度の剛体であることが好ましく、また鋼板がコストおよび強度の面で好ましい。また、鋼板の厚さは、十分な強度を有し、かつパネル１の摺動に応じて変形し易くなるためには６〜３ｍｍであることが好ましい。
【００２４】
【発明の効果】
本発明の手摺付きＡＬＣ壁構造によれば、先ず、パネル上部及び側面の補強用アングルを省略でき、外観、取付強度、コスト面等が優れているとともに、地震などによる建物の大きな層間変形に対する追従性にも優れているため耐震性を有するベランダ、バルコニー、パラペット等の立上がり壁が得られる。
【００２５】
また、手摺りを取り付けるためのアンカー部材が、パネル幅方向の小口面中央部またはその付近に固定されているため、パネルがコンクリートなどの他の素材よりも脆弱であるというＡＬＣパネルの弱点があっても、さらに目地部にモルタルなどを用いないロッキングし易い乾式ロッキング構造であっても、アンカー部材がパネル小口上面に十分な取付強度をもって取り付けられ得る。
したがって、アンカー取付部のパネル破損が起こりにくく、かつ上記特長を保持しつつ、特に地震などによる建物の揺れが起こっても、安全かつ強固な手摺付きＡＬＣ壁構造が得られる。
【図面の簡単な説明】
【図１】本発明の第１実施形態を示す斜視図。
【図２】図１の一部分解して示す斜視図。
【図３】本発明の第２実施形態の一部分解して示す斜視図。
【図４】本発明におけるパネルが摺動して手摺取付用部材が変形する状態を示す説明図。
【図５】（ａ）本発明におけるアンカーの実施例を示す断面図。
（ｂ）本発明におけるアンカーの他の実施例を示す断面図。
【図６】従来例の手摺付きＡＬＣ壁構造を示す一部分解して示す斜視図。
【図７】従来例の他の手摺付きＡＬＣ壁構造を一部分解して示す斜視図。
【図８】従来例における割れが目地部に発生した手摺付きＡＬＣパネルの平面図。
【図９】従来例におけるパネルが摺動してパネル上部が割れる状態を示す説明図。
【符号の説明】
１  ＡＬＣパネル
１ａ  中間部
１ｂ  下部
１ｃ  側方小口面
１ｄ  上方小口面
１ｅ  下方小口面
１ｆ  中央部
２ パネル取付用アンカー
３ 定規アングル
３ａ  起立板
４  躯体（梁）
５  縦下地鋼材
６  パネル取付金具
７  係止部材
８  目地部
９  手摺取付用部材
１０  アンカー部材
１０ａ  上部
１０ｂ  下部
１１   接着部材
１２  ナット
１３  手摺支柱部材
１４  笠置
１５  手摺部
１６  コンクリート基礎
１７  受けアングル
１７ａ  起立板
ΔＨ  相対変位
【図１】
0004046423.tif 000002
【図２】
0004046423.tif 000003
【図３】
0004046423.tif 000004
【図４】
0004046423.tif 000005
【図５】
0004046423.tif 000006
【図６】
0004046423.tif 000007
【図７】
0004046423.tif 000008
【図８】
0004046423.tif 000009
【図９】
0004046423.tif 000010